(57)【特許請求の範囲】
【請求項１】
画像の再生機能を制限する再生条件を他の通信機器から無線で受信することが可能な第１の通信手段と前記受信した再生条件に基づいて画像の再生を行う再生手段とを備えた第１の通信機器の画像の再生機能を制限する再生条件を、前記第１の通信機器の利用者を特定する識別情報と関連付けて記録する再生条件記録手段と、前記第１の通信機器の利用者を特定する識別情報を記録する識別情報記録手段と前記識別情報記録手段に記録されている識別情報を他の通信機器に送信する第２の通信手段とを備えた第２の通信機器から、前記第１の通信機器の利用者を特定する識別情報を受信する受信手段と、前記受信した識別情報に基づいて前記再生条件記録手段に前記識別情報と関連付けて記録されている前記第１の通信機器の画像の再生条件を読み出して送信する送信手段とを備えた通信機器。
【請求項２】
前記再生条件記録手段は、電子カメラの撮影機能を制限する撮影条件を前記識別情報と関連付けて記録し、前記送信手段は、前記受信した識別情報に基づいて前記再生条件記録手段に前記識別情報と関連付けて記録されている電子カメラの撮影条件を送信することを特徴とする請求項１の通信機器。
【請求項３】
前記識別情報は、携帯電話の電話番号であることを特徴とする請求項１又は２の通信機器。
【請求項４】
画像の再生機能を制限する再生条件を他の通信機器から無線で受信することが可能な第１の通信手段と、前記受信した再生条件に基づいて画像の再生を行う再生手段とを備えた第１の通信機器と、前記第１の通信機器の利用者を特定する識別情報を記録する識別情報記録手段と、前記識別情報記録手段に記録されている識別情報を他の通信機器に送信する第２の通信手段とを備えた第２の通信機器と、前記第１の通信機器の画像の再生機能を制限する再生条件を、前記第１の通信機器の利用者を特定する識別情報と関連付けて記録する再生条件記録手段と、前記第１の通信機器の利用者を特定する識別情報を受信する受信手段と、前記受信した識別情報に基づいて前記再生条件記録手段に前記識別情報と関連付けて記録されている前記第１の通信機器の画像の再生条件を読み出して送信する送信手段とを備えた第３の通信機器と、からなることを特徴とする通信システム。
【請求項５】
前記第１の通信機器の第１の通信手段は、撮影機能を制限する撮影条件を他の通信機器から無線で受信し、前記第１の通信機器は、前記受信した撮影条件に基づいて撮影する撮影手段を備え、前記第３の通信機器の再生条件記録手段は、前記第１の通信機器の撮影機能を制限する撮影条件を、前記第１の通信機器の利用者を特定する識別情報と関連付けて記録し、前記第３の通信機器の送信手段は、前記受信した識別情報に基づいて前記再生条件記録手段に前記識別情報と関連付けて記録されている前記第１の通信機器の画像の撮影条件を読み出して送信することを特徴とする請求項４の通信システム。
【請求項６】
画像と、その画像の再生機能を制限する再生条件とを関連付けて記録する画像記録手段と、画像の再生機能を制限する再生条件を他の通信機器から受信する第１の通信手段と、前記画像記録手段が記録した再生条件と前記受信した再生条件とを照合する照合手段と、前記照合の結果に基づいて画像の再生を行う再生手段とを備えた第１の通信機器と、前記第１の通信機器の利用者を特定する識別情報を記録する識別情報記録手段と、前記識別情報記録手段に記録されている識別情報を他の通信機器に送信する第２の通信手段とを備えた第２の通信機器と、前記第１の通信機器の、画像の再生条件を前記第１の通信機器の利用者を特定する識別情報と関連付けて記録する再生条件記録手段と、前記第１の通信機器の利用者を特定する識別情報を受信する受信手段と、前記受信した識別情報に基づいて前記再生条件記録手段に前記識別情報と関連付けて記録されている前記再生条件を読み出して送信する送信手段とを備えた第３の通信機器と、からなることを特徴とする通信システム。
【請求項７】
前記第１の通信機器は、被写体像を撮影して画像を得る撮像手段を備え、前記第１の通信機器の画像記録手段は、前記撮影して得た画像と前記受信して得た再生条件とを関連付けて記録し、前記第１の通信機器の再生手段は、前記照合の結果に基づいて画像の再生を行うことを特徴とする請求項６の通信システム。
【請求項８】
画像と、その画像の再生機能を制限する再生条件とを関連付けて記録する画像記録手段と、画像の再生機能を制限する再生条件を他の通信機器から受信する第１の通信手段と、前記画像記録手段が記録した再生条件と前記受信した再生条件とを照合する照合手段と、前記照合の結果に基づいて画像の再生を行う再生手段とを備えた第１の通信機器の画像の再生条件を、前記第１の通信機器の利用者を特定する識別情報と関連付けて記録する再生条件記録手段と、前記第１の通信機器の利用者を特定する識別情報を記録する識別情報記録手段と、前記識別情報記録手段に記録されている識別情報を他の通信機器に送信する第２の通信手段とを備えた第２の通信機器から、前記第１の通信機器の利用者を特定する識別情報を受信する受信手段と、前記受信した識別情報に基づいて前記再生条件記録手段に前記識別情報と関連付けて記録されている前記再生条件を読み出して送信する送信手段と、備えたことを特徴とする通信機器。
【発明の詳細な説明】
【０００１】
【発明の属する技術分野】
本発明は、通信機器及び通信システムに係り、特に自動で通信機器の利用者を認識して再生条件や撮影条件を設定することが可能な通信機器及び通信システムに関する。
【０００２】
【従来の技術】
従来から、管理された部屋へ入室する際に鍵又はＩＤカード等を用いて入室の許可を得る方法が知られている。また、現金のディスペンサー等の装置では利用者が持参したＩＤカードと利用者が記憶している利用者固有の暗証番号とを入力することによって以降の利用が可能となる装置が知られている。また、ネットワークを介してコンピュータ同士を通信接続する際にスレーブ側のアカウントと固有のパスワードとをマスター側の機器に送信することによってユーザーを特定し、以降の利用を許可又は制限する方法が知られている。また、無線近距離通信の技術では、お互いに通信接続を行う通信接続機器にアクセスキーを保持しておき、再度の通信を簡易的に行う機能が用意されている。
【０００３】
また、目の網膜や指紋等の身体的特徴を撮影して個人を特定する認証方法が知られており、また、濃度の低い指画像においても認証の精度を向上させることが可能な個人認証装置が特開平５−３４２３３３号の公報に示されている。
【０００４】
また、デジタルカメラから送信された画像が受信側で不特定の者に閲覧されてしまうことを防ぐために、デジタルカメラから画像を送信する際に、送信する画像データに暗証番号又はそれに相当する情報を付加する認証情報付加手段を備えたデジタルカメラ及び画像送信システムが特開平１１−３１３２３７号の公報に示されている。
【０００５】
また、認証用媒体により容易にユーザーを特定し、ユーザーの特定の可否により画像データの機密性を高めることが可能であるとともに、ユーザーが使用可能な機能を制限することが可能な画像処理装置が特開平１１−３１３２３７号の公報に示されている。
【０００６】
【発明が解決しようとする課題】
しかしながら、一般にカメラは利用者を特定するための認証機能を備えていないので、複数の人がカメラを利用して撮影を実施した場合、特定の個人が撮影した画像を他の人が自由に閲覧することが可能となっている。したがって、自分で撮影した画像を他の利用者に閲覧される危険性がある。
【０００７】
従来から利用さている個人を特定するための鍵、ＩＤカード、暗証番号、認証用の媒体を用いた特定方法は、利用者に対して何らかの操作や入力を要求するものであるため、カメラに応用したとしても操作性が煩雑になるという不具合を生じていた。
【０００８】
また、身体的特徴を利用した個人の特定方法においても、指紋や網膜等の身体的特徴を認証用の機器に提示する必要があるという操作性の煩雑さが残ることと、認証用の手段をカメラに専用に設ける必要があるためカメラの携行性が悪化するという不具合を招いていた。
【０００９】
本発明は、このような事情に鑑みてなされたもので、通信機器又は電子カメラを使用している利用者を自動で特定することによって、利用できる機能を自動で制限する通信機器及び通信システムを提供することを目的としている。
【００１０】
【課題を解決するための手段】
前記目的を達成するために請求項１に記載の発明は、画像の再生機能を制限する再生条件を他の通信機器から無線で受信することが可能な通信手段と、前記受信した再生条件に基づいて画像の再生を行う再生手段とを備えたことを特徴としている。
【００１１】
本発明によれば通信機器は、画像の再生機能を制限する再生条件を他の通信機器から無線で受信することが可能な通信手段と、前記受信した再生条件に基づいて画像の再生を行う再生手段とを備えたので、通信機器を使用している利用者を容易に特定することによって利用できる機能を制限することが可能となる。
【００１２】
また前記目的を達成するために請求項５に記載の発明は、通信機器の第１の利用者を特定する第１の識別情報を予め記録する記録手段と、画像の再生に関する再生機能を制限する再生条件と関連付けられている識別情報であるとともに通信機器の第２の利用者を特定する識別情報を他の通信機器から無線で受信することが可能な通信手段と、前記第１の利用者を特定する識別情報と前記第２の利用者を特定する識別情報とを照合する照合手段と、前記照合の結果に基づいて画像の再生を行う再生手段とを備えたことを特徴としている。
【００１３】
本発明によれば、通信機器の第１の利用者を特定する第１の識別情報を予め記録する記録手段と、画像の再生に関する再生機能を制限する再生条件と関連付けられている識別情報であるとともに通信機器の第２の利用者を特定する第２の識別情報を他の通信機器から無線で受信することが可能な通信手段と、前記第１の利用者を特定する第１の識別情報と前記第２の利用者を特定する第２の識別情報とを照合する照合手段と、前記照合の結果に基づいて画像の再生を行う再生手段とを備えたので、通信機器を使用している利用者を容易に特定することによって利用できる機能を制限することが可能となる。
【００１４】
また前記目的を達成するために請求項７に記載の発明は、画像と、その画像の再生機能を制限する第１の再生条件とを関連付けて記録する記録手段と、画像の再生機能を制限する第２の再生条件を他の通信機器から受信する受信手段と、前記第１の再生条件と前記第２の再生条件とを照合する照合手段と、前記照合の結果に基づいて画像の再生を行う再生手段とを備えたことを特徴としている。
【００１５】
本発明によれば、画像と、その画像の再生機能を制限する第１の再生条件とを関連付けて記録する記録手段と、画像の再生機能を制限する第２の再生条件を他の通信機器から受信する受信手段と、前記第１の再生条件と前記第２の再生条件とを照合する照合手段と、前記照合の結果に基づいて画像の再生を行う再生手段とを備えたので、通信機器を使用している利用者を容易に特定することによって利用できる機能を制限することが可能となる。
【００１６】
【発明の実施の形態】
以下添付図面に従って、本発明に係る通信機器及び通信システムの好ましい実施の形態について詳説する。
【００１７】
図１に、本発明に係る電子カメラと通信機器とから構成された通信システムを示す。
【００１８】
同図によれば通信システムは、撮像手段と無線通信手段等を備えた電子カメラ１０（通信機器の一形態）と、無線通信手段及び記録手段等を備えた通信機器である携帯電話４０と、情報を記録する記録手段及び無線通信手段等を備えた通信機器てあるサーバ９０とから構成されている。電子カメラ１０は近距離無線の通信手段により携帯電話４０と情報の送受信が可能となっている。また、携帯電話４０は公衆回線等の通信手段によりサーバ９０と情報の送受信を行うことが可能となっている。
【００１９】
例えば利用者は、利用者自身が所有する携帯電話４０を携行して電子カメラ１０を用いて撮影を行う。そのときに電子カメラ１０は携帯電話４０と自動で通信を開始して携帯電話４０から携帯電話４０の所有者固有の第１の識別情報を自動で取得して、撮影した画像とともに前記識別情報を記録する。
【００２０】
画像を再生する場合にも、電子カメラ１０は携帯電話４０と自動で通信を開始して携帯電話４０から携帯電話４０の所有者固有の第２の識別情報を自動で取得して、撮影した画像とともに記録されている前記第１の識別情報と照合する処理を行う。該照合の結果、例えば画像とともに記録されている第１の識別情報と前記新たに受信した第２の識別情報とが同一であり、撮影者と再生する者とが同一人物であると判断した場合には、例えば高解像度の画像で再生可能な状態にする。
【００２１】
また、前記照合の結果、前記第１の識別情報と前記第２の識別情報とが同一でない場合には、撮影者と再生する者とが異なる人物であると判断し、例えば画像の再生を禁止したり、必要に応じて低解像度でのみ再生可能な状態にする。
【００２２】
図２に、電子カメラの信号処理系のブロック図を示す。
【００２３】
同図によれば電子カメラ１０には、被写体の像を受光面に結像させて光電変換して画像データを出力する撮像手段（撮影手段の一部の機能を含む）１１０と、電子カメラ１０全体の制御を行うとともに画像データのサンプリングタイミング制御、画像データの記録制御、画像データの図形認識、本電子カメラ１０の機種情報の読み込み、通信制御、表示制御、識別情報の照合等の制御を行う情報処理手段１１６と、レリーズボタンや通信ボタン、送信ボタン、ファンクションスイッチ、十字キー、確定スイッチ、モード切り換えスイッチ等が設けられている入力手段１１８とが設けられている。
【００２４】
また電子カメラ１０には、画像サイズの変更、シャープネス補正、ガンマ補正、コントラスト補正、ホワイトバランス補正等の処理を行う画像処理手段１２０と、画像データを一時的に記憶しておくフレームメモリ１２１と、電子カメラ１０の機種名、製造番号等の固有の番号、識別情報、動作プログラム、電子カメラ１０の所有者を識別する識別情報及びパスワード、各定数等が記憶されているＰＲＯＭとプログラム実行時の作業領域となる記憶手段であるＲＡＭにより構成されているメモリ１２３とが設けられている。
【００２５】
また、電子カメラ１０には、画像データ等の情報をＪＰＥＧやモーションＪＰＥＧに代表される手法で圧縮制御したり圧縮したデータを伸張展開制御する処理を行う圧縮解凍手段１２４と、画像データを着脱可能な記録媒体１２６に記録したり読み出したりするためにデータを変換する記録媒体インターフェース１２７（記録手段）とが設けられている。記録媒体１２６は、メモリーカードやＭＯ等の半導体、磁気記録、光記録に代表される着脱可能な記録媒体である。
【００２６】
画像データ等の情報を通信によって携帯電話４０等の他の通信機器と送受信する場合に用いる電子カメラ１０の無線通信手段は、搬送波及びデータを送受信するアンテナ１２８と、情報処理手段１１６からの指令により画像データを搬送波に乗せて送信又は受信する通信手段１２９とから構成されている。
【００２７】
また電子カメラ１０には通信接続装置に関する情報や、画像データを表示手段１３２に表示するためのＤ／Ａ変換器１３３と、情報処理手段１１６から指令される識別情報を、表示する文字やメッセージのデータに変換するキャラクタジェネレータ１３４とが設けられている。
【００２８】
上記のとおり構成された電子カメラ１０の撮影処理について説明する。
【００２９】
電子カメラ１０の電源を投入して撮影のモードに設定すると、先ず電子カメラ１０の情報処理手段１１６は画像の撮影機能を制限する撮影モードである「未認証モード」に設定する。そして情報処理手段１１６は通信手段１２９に対して近距離無線の通信の開始を指示する。そして無線による通信を開始して撮影条件に相当する「認証コード」を提供可能な通信機器を探索する。もし電子カメラ１０の近傍に撮影条件を提供可能な、電子カメラ１０の利用者の所有する携帯電話４０等が存在する場合には、その携帯電話４０からの応答に基づいて無線の通信を確立してお互いに以降の通信を継続するためのペアリングの処理を開始する。そして携帯電話４０に対して電子カメラ１０の記録手段であるメモリ１２３等（記録部）が記録している電子カメラ１０固有のＩＤ番号や製造番号、シリアル番号等の識別情報（電子カメラ１０の利用者を特定する識別情報も含む）を、送信手段である通信手段１２９を介して携帯電話４０等の通信機器に送信する。
【００３０】
次のステップでは電子カメラ１０は携帯電話４０に対して「認証コード」（撮影機能を制限する撮影条件の一形態であって、利用者又は所有者を特定する識別情報であってもよいし、前記撮影条件と関連付けられている識別情報であってもよい）の送信を請求する。電子カメラ１０の情報処理手段１１６（撮影手段の一部の機能を備えるとともに照合手段としての機能も備えている）は、通信手段１２９が携帯電話４０から無線で受信した「認証コード」が、電子カメラ１０の記録手段であるメモリに記録されている識別情報と一致するか否かの照合を行う。該照合の結果、「認証コード」と識別情報とが一致している場合には、情報処理手段１１６は撮影のモードを、撮影機能を制限しない「認証モード」に設定して、各撮影モードに基づいて以降の撮影を実施する。
【００３１】
一方、電子カメラ１０にて撮影する像は、撮像手段１１０の受光面に結像され、結像した被写体像は光電変換されて画像処理手段１２０に出力される。このようにして得られた画像データは、画像処理手段１２０にて増幅やノイズの低減処理が実施され、一時期フレームメモリ１２１に記憶する。情報処理手段１１６は、前記フレームメモリ１２１に記憶されている画像データを逐次Ｄ／Ａ変換器１３３に伝達して表示手段１３２に表示している。
【００３２】
入力手段１１８に設けられているレリーズボタンを押すと、被写体を撮影するモードに入る。すると情報処理手段１１６はフレームメモリ１２１に記憶されている画像データを圧縮解凍手段１２４に転送して所定の撮影条件で画像データの圧縮処理を実施する指令を出力する。そして、記録媒体インターフェース１２７に対して画像データを順次記録媒体１２６に記録する処理を行う。このとき、画像ファイルの認証コード記憶部に、電子カメラ１０固有の識別情報又は撮影者を特定する携帯電話４０の識別情報（携帯電話の電話番号、シリアルキー等の情報）を併せて記録する。
【００３３】
前記「認証コード」を記録する認証コード記憶部は、画像ファイルのヘッダ部であってもよいし、画像そのものに「透かし」の模様として埋め込むようにしてもよい。なお、前記「未認証モード」での撮影条件は、例えばＶＧＡサイズの以下の粗い画像でのみ記録可能にする条件でもよいし、所定の画素数以上での撮影を禁止する条件でもよいし、所定の圧縮率以上の画像情報の少ない画像データでの記録を許可する条件であってもよい。また、「認証モード」での撮影条件は、最大解像度での撮影が可能である撮影条件であってもよいし、低圧縮率の情報量の多い画像データでの記録を許可する条件であってもよい。
【００３４】
また、「未認証モード」における撮影条件は、全ての撮影を禁止する撮影条件、撮影を制限する時間を設定する条件、フラッシュの発光を禁止する撮影条件、特定の機種の記録機器（電子カメラ等）での撮影を禁止する撮影条件、撮影した画像に対して著作権を宣言する「透かし」等の所定情報を挿入する撮影条件、撮影した画像情報の分解能に関する条件又は撮影後に記録機器が発する発信音を制限する撮影条件等の条件であってもよい。
【００３５】
また、撮影した画像を他の通信機器に転送する場合には、画像の転送先となる他の通信機器と通信を確立して入力手段１１８に設けられている送信ボタンを押す。すると情報処理手段１１６は、指定された画像データを順次記録媒体１２６から読み出して、所定の撮影条件に適合する所定のデータ形式に変換したのちに通信手段１２９とアンテナ１２８とを介して他の通信機器に送信する処理を実行する。
【００３６】
上記のとおり構成された電子カメラ１０の再生処理について説明する。
【００３７】
電子カメラ１０の処理モードを再生のモードに設定すると、先ず電子カメラ１０の情報処理手段１１６は画像の再生機能を制限する再生モードである「未認証モード」に設定する。そして情報処理手段１１６は通信手段１２９に対して近距離無線の通信の開始を指示する。そして無線による通信を開始して再生条件に相当する「認証コード」を提供可能な通信機器を探索する。もし電子カメラ１０の近傍に再生条件を提供可能な、電子カメラ１０の利用者の所有する携帯電話４０等が存在する場合には、その携帯電話４０からの応答に基づいて無線の通信を確立してお互いに以降の通信を継続するためのペアリングの処理を開始する。そして携帯電話４０に対して電子カメラ１０のメモリ１２３等が記録している電子カメラ１０固有のＩＤ番号や製造番号、シリアル番号等の識別情報を携帯電話４０等の通信機器に送信する。
【００３８】
次のステップでは電子カメラ１０は携帯電話４０に対して「認証コード」（画像の再生機能を制限する再生条件の一形態であって、再生を実施する利用者又は所有者を特定する識別情報であってもよいし、前記再生条件と関連付けられている識別情報であってもよい）の送信を請求する。電子カメラ１０が携帯電話４０から無線で受信した「認証コード」が、電子カメラ１０のメモリ１２３又は再生を指示された画像ファイルに記録されている前記「認証コード」と同様の形態の識別情報と一致しているか否かの照合を行う。該照合の結果「認証コード」と識別情報とが一致している場合には、情報処理手段１１６は再生のモードを再生機能を制限しない「認証モード」に設定して、各再生モードに基づいて以降の再生処理を実施する。また、画像ファイル内に再生機能を制限する再生条件である「認証コード」が記録されていない場合には、再生を制限する必要のない画像データであると判断して、「認証モード」に設定して記録されている主画像をそのまま再生表示するようにしてもよい。
【００３９】
画像の再生モードでは、電子カメラ１０の表示手段１３２には、記録媒体１２６に記録されている画像ファイルのリストが表示されている。この画像ファイルのリスト表示は、文字によるリスト表示であってもよいし、主画像のサイズを少なくした縮小画像（サムネイル画像とも呼ばれる）を表示して利用者にわかりやすく通知するようにしてもよい。
【００４０】
利用者が表示手段１３２に表示されている画像ファイルのリストを参照しながら入力手段１１８を操作して再生を希望する画像を選択する。利用者が選択した画像のファイル情報は情報処理手段１１６に伝えられ、情報処理手段１１６は記録媒体１２６から利用者が選択した画像ファイルを読み出す処理を行う。該読み出された画像データは、圧縮解凍手段１２４にて表示用の画像データに変換され、情報処理手段１１６に伝達される。また、画像データ内部に「認証コード」が埋め込まれている場合には、圧縮解凍手段１２４にて該「認証コード」が読み出される。
【００４１】
情報処理手段１１６は、現在の電子カメラ１０の再生モードが画像の再生を制限する「未認証モード」であるか、又は画像の再生を制限しない「認証モード」であるかに応じて画像データを変換して、フレームメモリ１２１に記憶する。
【００４２】
前記フレームメモリ１２１に記憶されている画像データは、逐次Ｄ／Ａ変換器１３３に伝達されて表示手段１３２に表示される。
【００４３】
前記「未認証モード」での再生条件は、例えばＶＧＡサイズの以下の粗い画像でのみ再生可能にする条件でもよいし、縮小画像のみ表示する条件であってもよいし、認証されていない状態で撮影された画像のみ再生可能な条件であってもよい。また、「未認証モード」での再生条件は、全ての再生を禁止する再生条件、所定の画素数以上での再生を禁止する再生条件、画像に対して著作権を宣言する「透かし」等の所定情報を挿入する再生条件、画像を出力する際の圧縮条件又は再生する画像の分解能に関する条件であってもよい。
【００４４】
また、「認証モード」での再生条件は、再生する時間を設定する条件、最大解像度での再生が可能である再生条件であってもよいし、「認証コード」が記録されていない画像の再生を許可する条件であってもよいし、画像ファイルに記録されている「認証コード」と携帯電話４０から再生時に受信した「認証コード」とが異なる場合には縮小画像のみ表示を許可する条件であってもよい。
【００４５】
図３に携帯電話の信号処理部のブロック図を示す。
【００４６】
同図によれば携帯電話４０の情報送受信部には、公衆回線と無線通信するための公衆回線用の通信手段１４１と、公衆回線用の送受信手段１４３と、公衆回線及び近距離の通信を実施する際にリアルタイムで送受信する情報を一時的に記憶する送受信バッファ１４４と、携帯電話４０の近傍に存在する通信機器と無線通信するための通信手段１４５と、アンテナ１４６と、送受信手段１４７とから構成されている。
【００４７】
また、携帯電話４０には、通信状況、電波強度、電池の残容量、電話番号、画像等の情報を表示する表示手段１５０と、電話番号、画像の選択、送信又は受信する情報の選択等を行う際に情報を入力する入力手段１５２とが設けられている。
【００４８】
また、携帯電話４０の全体の制御を司る情報処理手段（ＣＰＵ）１６０と、情報処理手段１６０を動作させるプログラムや各種定数、電話番号、所有者を特定する固有の識別情報、通信先のアドレス等が書き込まれているＰＲＯＭ１６１と、情報処理手段１６０が処理を実行する際の作業領域となる記憶手段のＲＡＭ１６２と、スピーカ１６６を駆動するためにデジタル音声データをアナログの音声データに変換するＤ／Ａ変換器１６７と、マイク１６８から入力した音声データをデジタルデータに変換するＡ／Ｄ変換器１６９とが設けられている。
【００４９】
携帯電話４０内の情報処理手段１６０と、送受信手段１４３、送受信手段１４７、表示手段１５０、入力手段１５２、ＰＲＯＭ１６１、ＲＡＭ１６２を含む各周辺回路は、バスラインやＩ／Ｏ等の通信手段で接続されており、情報処理手段１６０は各々の周辺回路を制御することが可能となっている。
【００５０】
周辺機器用の通信手段１４５は、電波、超音波、赤外線等の光、を用いた通信手段を用いて他の通信機器と情報の送受信を行う。電波を用いる場合には、近年注目されている「Ｂｌｕｅｔｏｏｔｈ」の通信仕様に基づいてもよいし、赤外線を用いる場合にはＩｒＤＡの仕様に基づいてもよい。
【００５１】
以下に、電子カメラ１０に対して撮影条件又は再生条件を示す「認証コード」を送信する一連の処理を説明する。
【００５２】
携帯電話４０の近距離用の通信手段１４５は、電子カメラ１０との無線通信を確立すると、撮影条件又は再生条件となる「認証コード」を送信可能な通信機器であることを通知する。そして、お互いに以降の通信を継続するためのペアリング処理を開始する。
【００５３】
次に携帯電話４０の通信手段１４５は、電子カメラ１０から電子カメラ１０を特定する固有のＩＤや製造番号、シリアル番号等の識別情報、又は電子カメラ１０の所有者を特定する識別情報を受信する。すると携帯電話４０の情報処理手段１６０は、ＰＲＯＭ１６１から携帯電話４０の電話番号や携帯電話４０の所有者を特定する固有の識別情報等を読み出して、前記電子カメラ１０から受信した識別情報と併せて、公衆回線用の通信手段１４１を介して特定のサーバ９０等の通信機器に送信する。また、必要に応じて「認証コード」の発行をサーバ９０に対して要求してもよい。
【００５４】
なお、上記のように携帯電話４０が電子カメラ１０から機器固有の識別情報を受信して取得する代わりに、利用者が携帯電話４０に対して予め電子カメラ１０の識別情報又は認証用のコードを入力して、携帯電話４０のＰＲＯＭ１６１等の記録手段に記録しておいてもよい。その場合には、携帯電話４０の情報処理手段１６０が、ＰＲＯＭ１６１から携帯電話４０固有の識別情報と、電子カメラ１０固有の識別情報とを読み出して、公衆回線用の通信手段１４１を介して特定のサーバ９０等の通信機器に送信する。
【００５５】
サーバ９０は、携帯電話４０が送信した電子カメラ１０と携帯電話４０との識別情報に基づいて、電子カメラ１０の撮影条件又は再生条件となる「認証コード」を携帯電話４０に発行する。該「認証コード」は、電子カメラ１０の再生条件又は撮影条件を、電子カメラ１０の利用者を特定するために携帯電話４０が発行した識別情報と関連付けている情報であってもよい。更にこの携帯電話４０が発行した識別情報は、該携帯電話４０の電話番号等であってもよい。前記「認証コード」を通信手段１４１を介して受信した携帯電話４０の情報処理手段１６０は、受信した「認証コード」をＰＲＯＭ１６１等の記録手段に記録するとともに、近距離の通信手段１４５を介して電子カメラ１０に対して送信する。
【００５６】
図４にサーバの信号処理部のブロック図を示す。
【００５７】
同図によればサーバ９０には、サーバ９０の動作状況、通信状況、画像等の情報を表示する表示手段１９２と、表示手段１９２に表示する情報を逐次出力する表示コントローラ１９３と、画像の選択、送信又は受信する情報の選択等を行う際に利用者が情報を入力する入力手段１９４とが設けられている。
【００５８】
サーバ９０の情報送受信部には、公衆回線等の通信回線網１９６と通信を実施する通信手段１９７と、他の通信機器と無線通信するためのアンテナ１９８と、無線通信を行う際の通信手段１９９とが設けられいてる。
【００５９】
また、サーバ９０には、サーバ９０の全体の制御を司る情報処理手段（ＣＰＵ）２００と、情報処理手段２００を動作させるプログラムや各種定数、電話番号、所有者を特定する固有の識別情報、通信先のアドレス等が書き込まれているＲＯＭと情報処理手段２００が処理を実行する際の作業領域となる記憶手段のＲＡＭとから構成されているメモリ２０４と、表示手段１９２に表示する画像を一時記憶するフレームメモリ２０６と、各電子カメラの再生若しくは記録条件及び利用者を特定する識別情報等を記録する記録手段２０８とが設けられている。
【００６０】
サーバ９０内の情報処理手段２００と、表示コントローラ１９３、入力手段１９４、通信手段１９７、通信手段１９９、メモリ２０４、フレームメモリ２０６を含む各周辺回路は、バスライン２１０やＩ／Ｏ等の通信手段で接続されており、情報処理手段２００は各々の周辺回路を制御することが可能となっている。
【００６１】
なお記録手段２０８は、複数の電子カメラの再生機能を制限する再生条件を各々の電子カメラの利用者を特定する識別情報又は各々の電子カメラ１０を特定する識別情報と関連付けて記録することや、複数の電子カメラの撮影機能を制限する撮影条件を各々の電子カメラの利用者を特定する識別情報又は各々の電子カメラを特定する識別情報と関連付けて記録することが可能となっている。
【００６２】
また、サーバ９０の通信手段１９７又は１９９は、個々の電子カメラを特定する固有の識別情報や、電子カメラ１０の利用者を特定する識別情報、及び携帯電話４０の電話番号又は携帯電話４０の所有者を特定する固有の識別情報等を受信することが可能となっている。また、サーバ９０の通信手段１９７又は１９９は、各電子カメラの利用者又は各電子カメラを特定する識別情報と関連付けて記録手段２０８に記録されている電子カメラの再生条件及び撮影条件を、受信した各識別情報に基づいて選択して携帯電話４０等に送信することが可能となっている。
【００６３】
図５は、電子カメラ１０又は携帯電話４０が発行する電子カメラ１０の利用者固有の識別情報を示す図表である。
【００６４】
同図に示されるように、複数の電子カメラ１０の利用者に応じて、各々の携帯電話の電話番号（図５には携帯番号と記載）が発行される。
【００６５】
図６は、サーバ９０の記録手段２０８が記録している「認証基本コード」を示す図表である。
【００６６】
同図に示されるように、各々の電子カメラＡ〜Ｅには、例えばそれぞれカメラ固有の識別情報と「認証基本コード」とが関連付けて記録されている。
【００６７】
図７は、サーバ９０の記録手段が記録している各々の電子カメラの使用可否の情報を示す図表である。
【００６８】
同図に示されるように、どの利用者がどの電子カメラを利用可能であるかが関連付けて記録されている。なお、「○」印は電子カメラ１０を「認証モード」で利用可能な状態に設定することを示し、「×」印は「未認証モード」でしか利用できないことを示している。
【００６９】
以下に、図５〜図７の図表に示す情報がサーバ９０に記録されている状態で、「利用者ａ」が「カメラＡ」を利用して撮影又は画像の再生を実施する場合について説明する。
【００７０】
先ず「利用者ａ」が所有する携帯電話４０ａは、「カメラＡ」から機器固有のシリアル番号「12345678」を取得する。なお、「カメラＡ」は、前記シリアル番号の他に、認証用の機器固有の識別情報「ＡＡＡＡ」も記憶している。そして、次に携帯電話４０ａは、受信したカメラ固有のシリアル番号とともに、「利用者ａ」を特定する携帯電話４０ａの識別情報である携帯電話の電話番号「09011112222 」をサーバ９０に送信して、サーバ９０に対して「認証コード」の発行を請求する。
【００７１】
前記携帯番号と電子カメラ１０固有のシリアル番号とを受信したサーバ９０は、図７に示す図表と照らし合わせて、「利用者ａ」が「カメラＡ」を「認証モード」で利用可能であることの情報を取得する。サーバ９０の情報処理手段２００は、記録手段に記録されている「認証基本コード」と「利用者ａ」を特定する携帯番号とを組み合わせた「ＡＡＡＡ09011112222 」の情報を「認証コード」として通信手段１９７又は１９９を介して携帯電話４０ａに送信する。
【００７２】
前記「認証コード」を公衆回線等の通信手段を介して受信した携帯電話４０ａは、前記「認証コード」を近距離の無線通信手段を介して「カメラＡ」に送信する。前記「認証コード」を受信した「カメラＡ」は、「カメラＡ」の記録手段に記録されている機器固有の識別情報と、前記受信した「認証コード」の上位に含まれる機器固有の識別情報「ＡＡＡＡ」とを照合する。また、「認証コード」の下位に含まれる「09011112222 」を利用者を特定する認証用に利用してもよい。
【００７３】
前記照合の結果、「カメラＡ」が記録している識別情報と、携帯電話４０ａから受信した「認証コード」に含まれる識別情報とが一致していると判断した場合には、「カメラＡ」の撮影又は再生モードを「認証モード」に設定して以降の処理を実施する。また、前記照合の結果、「カメラＡ」が記録している識別情報と、携帯電話４０ａから受信した「認証コード」に含まれる識別情報とが一致していないと判断した場合には、「カメラＡ」の撮影又は再生モードを「未認証モード」に設定して以降の処理を実施する。
【００７４】
「カメラＡ」にて画像を撮影した場合には、画像ファイルの認証コード記憶部に、「カメラＡ」の固有の識別情報と撮影者を特定する識別情報を併せて記録する。このようにして記録された画像を再生する場合には、前記画像ファイルに記録されている「認証コード」（再生条件の情報）に基づいて再生のモードを設定する。
【００７５】
以下に、図５〜図７の図表に示す情報がサーバ９０に記録されている状態で、「利用者ｂ」が「カメラＣ」を利用して撮影又は画像の再生を実施する場合について説明する。
【００７６】
先ず「利用者ｂ」が所有する携帯電話４０ｂは、「カメラＣ」から機器固有のシリアル番号「12341234」を取得する。なお、「カメラＣ」は、前記シリアル番号の他に、認証用の機器固有の識別情報「ＣＣＣＣ」も記憶している。そして、次に携帯電話４０ｂは、受信したカメラ固有のシリアル番号とともに、「利用者ｂ」を特定する携帯電話４０ｂの識別情報である携帯電話の電話番号「09011113333 」をサーバ９０に送信して、サーバ９０に対して「認証コード」の発行を請求する。
【００７７】
前記携帯番号と電子カメラ１０固有のシリアル番号とを受信したサーバ９０は、図７に示す図表と照らし合わせて、「利用者ｂ」が「カメラＣ」を「認証モード」で利用不可能であることの情報を取得する。サーバ９０の情報処理手段２００は、「カメラＣ」の利用不可情報を通信手段１９７又は１９９を介して携帯電話４０ｂに送信する。
【００７８】
前記利用不可情報を公衆回線等の通信手段を介して受信した携帯電話４０ｂは、前記利用不可情報を近距離の無線通信手段を介して「カメラＣ」に送信する。前記利用不可情報を受信した「カメラＣ」は、該「カメラＣ」の撮影又は再生モードを「未認証モード」に設定して以降の処理を実施する。
【００７９】
図８に、電子カメラ１０と携帯電話４０とが通信先を特定するペアリング処理のフローチャートを示す。
【００８０】
携帯電話４０を通信可能な状態にすると、各々の通信機器の情報処理手段が実施する処理プログラムは同図に示すステップＳ２００「スタート」（以降Ｓ２００のように省略して記載する）に分岐してくる。電子カメラ１０の電源を、Ｓ１０２「電源投入」にて投入して、他の特定の通信機器と通信を実施するために次のＳ１０４「セットアップモードでPairing 選択」に進む。
【００８１】
次のＳ１０６「電子カメラ管理者用パスワード入力」では、例えば電子カメラ１０の所有者を識別するパスワードを入力手段１１８を操作して入力する。次のＳ１０８「パスワード？」の判断では、電子カメラ１０の情報処理手段１１６は前記利用者が入力したパスワードと予めメモリ１２３等の記録手段に記録されているパスワードとを照合する。メモリ１２３等に記録されている電子カメラ１０の所有者を特定するパスワードは、電子カメラ１０の製造時に不揮発性のメモリに記録されている。また、このパスワードは、電子カメラ１０の所有者が適宜変更可能なように構成されていてもよい。
【００８２】
もしＳ１０８での照合の結果、双方のパスワードが一致していない場合には情報処理手段１１６の処理はＳ１１０「認証処理失敗」に進み、以降の撮影又は再生の処理に制限を課す設定にする。そして、Ｓ１２０「終了」に進み、パスワードの照合処理を終了する。
【００８３】
また、もしＳ１０８での照合の結果、双方のパスワードが一致していると判断した場合には情報処理手段１１６の処理はＳ１１２「携帯電話探索」に進む。Ｓ１１２では、無線の通信を開始して、携帯電話４０等の電子カメラ１０の撮影条件又は再生条件を提供可能な通信機器（携帯電話４０等）が無線通信圏内に存在するか否かを探索する処理を行う。
【００８４】
一方、携帯電話４０でも、セットアップモードに設定してＳ２０２「セットアップモードでPairing 選択」に進み、他の特定の通信機器（電子カメラ１０に相当する）との通信が実施可能な状態に設定して通信相手の探索を開始する。そして携帯電話４０と電子カメラ１０のお互いの通信機器同士の無線通信が同期すると、通信の接続処理が完了する。このとき、電子カメラ１０の表示手段１３２に、通信の接続処理が完了した１乃至複数の通信機器の名称等を一覧表示し、利用者が以降通信を実施する通信機器を選択するようにしてもよい。
【００８５】
次のＳ１１４「携帯電話選択」では、例えば携帯電話４０を通信の対象として選択する。通信接続先が決定すると、次のＳ１１６「Pin コード生成し、携帯電話に送信」に進み、電子カメラ１０の情報処理手段１１６は「Pin 」コード（Personal Identification Number）を発番して表示する。利用者はこのPin コードを読み取って、Ｓ２０４「受信したPin コードを利用者が入力」にて、利用者が携帯電話４０の入力手段１５２を介して該Pin コードを入力する。
【００８６】
携帯電話４０は、該入力したPin コードと電子カメラ１０から受信したPin コードとを比較して、一致した場合にはＳ２０６「電子カメラと通信し Link Key を生成保存」に進み、お互いを認証するための Link Key を生成してＰＲＯＭ１６１等の記録手段に記録する。そして次のＳ１２０に進み、認証処理を終了する。
【００８７】
また、電子カメラ１０の処理プログラムは、Ｓ１１８「携帯電話と通信し Link Key を生成保存」に進み、お互いを認証するための Link Key を生成してメモリ１２３等の記録手段に記録する。そして次のＳ１２０に進み、認証処理を終了する。
【００８８】
一般に無線通信では複数の通信機器と通信可能な状態になる場合があるため、お互いの通信機器間でペアリングという処理を行って、次回の通信時から自動認証による通信接続ができるようにしている。ペアリングする際にお互いの通信機器において必要な鍵となる「Link Key」及び相手の通信機器固有のＩＤ等の識別情報を記憶しておき、次回接続時からこれらの識別情報を読み出して用いることにより、自動で認証処理が実現される。
【００８９】
また、事前に電子カメラ１０と携帯電話４０間でペアリングの操作を行っておき、電子カメラ１０と携帯電話４０との間で自動認証による通信の可否に基づいて電子カメラ１０の使用時の機能を制限し、接続時に使用される「Link Key」を認証コードとして使用してもよい。
【００９０】
電子カメラ１０とペアリングされた携帯電話４０が撮影者の手元に無い場合には自動認証による通信が実現されないため「未認証モード」での利用となる。
【００９１】
図９に、電子カメラ１０と携帯電話４０とが通信を開始して利用者の認証処理を実施する際のフローチャートを示す。
【００９２】
携帯電話４０を通信可能な状態にすると、各々の通信機器の情報処理手段が実施する処理プログラムは同図に示すステップＳ１４０「スタート」に分岐してくる。電子カメラ１０の電源を投入すると、電子カメラ１０の処理プログラムはＳ１４２「電源ＯＮ未認証モードで起動」に進み、他の特定の通信機器と通信を実施するために次のＳ１４４「周辺装置探索」に進む。
【００９３】
Ｓ１４４では、無線の通信を開始して、携帯電話４０等の通信機器が無線通信圏内に存在するか否かを探索する処理を行う。前記電子カメラ１０が発する探索信号を受信した携帯電話４０は、Ｓ２４２「電子カメラに応答」にてお互いの通信機器同士の無線通信を同期させる処理を行うとともに、電子カメラ１０に対して応答を送信する。
【００９４】
前記応答を受信した電子カメラ１０の処理プログラムは、Ｓ１４６「伝送路確立」に進み、携帯電話４０を認識して以降の通信を継続する。一方、携帯電話４０の処理プログラムもＳ２４４「伝送路確立」に進み、電子カメラ１０を認識する。そして次のＳ２４６「認証コード送信」にて、「認証コード」を電子カメラ１０に対して送信する。
【００９５】
前記「認証コード」を受信した電子カメラ１０は、Ｓ１４８「認証処理」に進み、前記受信した「認証コード」に含まれる電子カメラ１０固有の識別情報と、電子カメラ１０の記録手段に記録されている識別情報との照合を実施する。該照合の結果、双方の情報が一致している場合には、次のＳ１５０「認証モードに切り替え」にて、電子カメラ１０の再生又は撮影のモードを「認証モード」に設定する。また、前記照合の結果、双方の情報が一致していない場合には、電子カメラ１０の再生又は撮影のモードを「未認証モード」に設定して以降の処理を行う。そして次のＳ１５２「終了」に進み、認証処理のルーチンを終了する。
【００９６】
図１０に、電子カメラ１０が実施する撮影処理のフローチャートを示す。
【００９７】
同図によれば、電子カメラ１０の入力手段１１８に設けられているレリーズボタンが利用者によって操作されると、電子カメラ１０の情報処理手段１１６が実施する処理プログラムは、Ｓ１６０「スタート」に分岐してきて、次のＳ１６２「撮像手段から画像を入力」に進む。
【００９８】
Ｓ１６２では、撮像手段１１０が所定のタイミングで画像を取得する。次のＳ１６４「撮像手段からの信号を色及び画素変換処理」では、前記撮像手段１１０から出力される画像信号を画像処理手段１２０に伝送して、信号の増幅やノイズの低減処理、画素数変換等の画像処理を実施する。
【００９９】
次のＳ１６６「処理後の画像データをフレームメモリに格納」では、画像処理手段１２０から得た画像データを一時的にフレームメモリ１２１に記録する処理を行う。次にＳ１６８「画像データを圧縮」にて、情報処理手段１６０は前フレームメモリ１２１に記録されている画像データを読み出して圧縮解凍手段１２４に伝送して、撮影条件に応じた圧縮手法や圧縮率で画像を圧縮処理する。
【０１００】
次のＳ１７０「認証コードを画像データに付加」では、記録する画像ファイルの認証コード記憶部に「認証コード」等の再生条件を示す情報を付加して、次のＳ１７２「画像データを記録媒体に記録」にて、前記画像ファイルを記録媒体１２６に記録する処理を行う。前記画像ファイルの記録が終了すると、電子カメラ１０の処理プログラムはＳ１７４「終了」に進み、撮影の処理ルーチンを終了して元の処理ルーチンに戻る。
【０１０１】
図１１に、電子カメラ１０が実施する再生処理のフローチャートを示す。
【０１０２】
同図によれば、電子カメラ１０の処理モードが再生のモードに設定されると、電子カメラ１０の情報処理手段１１６の処理プログラムは、Ｓ１８０「スタート」に分岐してくる。そして、次のＳ１８２「記録媒体から画像を入力」に進み、利用者所望の記録媒体１２６に記録されている画像ファイルの読み込み処理を実施する。
【０１０３】
情報処理手段１１６は、前記読み込んだ画像ファイルの認証コード記録部に再生条件を示す「認証コード」が付与されているか否かの判断を行う。もし「認証コード」が付与されていない場合には、再生に関する制限が加えられていない画像のファイルであると判断して、処理プログラムはＳ１８６「主画像を解凍」に分岐して、画像ファイルに記録されている主画像を解凍してそのまま表示用の画像データに展開して、次のＳ１９４「表示手段に画像表示」にて表示手段１３２等に表示する処理を行う。
【０１０４】
また、もし画像ファイルに「認証コード」が記録されている場合には、次のＳ１８８「認証コードの読出し及び確認」の処理に進み、画像ファイルから「認証コード」を読み出して、次のＳ１９０「認証コード一致？」の判断にて携帯電話４０等の他の通信機器から受信した「認証コード」と照合する処理を行う。該照合の結果、双方の「認証コード」が一致していると判断した場合には、処理プログラムはＳ１８６に分岐して、先の「認証コード」が記録されていない場合と同様に主画像を解凍して、次のＳ１９４にて表示手段１３２等にそのまま表示する処理を行う。
【０１０５】
また、Ｓ１９０にて双方の「認証コード」が一致していない場合には、自由な再生が制限されている画像ファイルであると判断して、情報処理手段１１６は次のＳ１９２「サムネイル画像を解凍」にて、画像ファイルに記録されている縮小画像（サムネイル画像）を読み出して表示用の画像データに展開して、次のＳ１９４にて表示手段１３２に表示する。また、主画像の画像データを読み出して画素を間引く等の加工を加えることによって、表示する画像の解像度を落として表示手段１３２に表示するようにしてもよい。
【０１０６】
Ｓ１９４にて画像の表示処理が終了すると、情報処理手段の処理プログラムはＳ１９６「終了」に進み、元の処理ルーチンに戻る。
【０１０７】
上記の実施の形態では、携帯電話４０を用いて電子カメラ１０を使用する際の利用者を特定する認証用の機器として使用したが、本発明は携帯電話４０に限定されるものではなく、通信手段を備えた通信機器であれば、ＰＤＡや携帯型のパソコン等であっても本発明の目的を達成することができる。
【０１０８】
また、上記の実施の形態では、１つの電子カメラ１０に対して１つの携帯電話４０を使用した例で説明したが、携帯電話４０に代わる通信機器又はアンテナをある地域に一定間隔毎に設置することにより、遊園地やテーマパーク等のある特定の地域でのみ電子カメラ１０を使用可能とすることにしてもよい。また、美術館や博物館等に前記通信機器やアンテナを設置して、撮影を規制されている場所では撮影を制限する撮影条件を設定するようにしてもよい。
【０１０９】
上記の実施の形態では、電子カメラ１０が無線通信を確立する際に「認証コード」を取得する実施の形態で説明したが、本発明はこれに限定されるものではなく、定期的に「認証コード」を受信して認証処理を実施するようにしてもよい。
【０１１０】
また、上記の実施の形態では、サーバ９０が図５〜図７に示す情報を予め記録しておき、電子カメラ１０の撮影又は再生条件を特定する「認証コード」を電子カメラ１０に対して出力する実施の形態で説明したが、本発明はこれに限定されるものではなく、携帯電話４０が図６〜図７に示す情報を予め記録しておき、電子カメラ１０の撮影又は再生条件を特定する「認証コード」を電子カメラ１０に対して出力するようにしてもよいし、電子カメラ１０に図５〜図７に示す情報を予め記録しておき、利用者を特定する識別情報を各携帯電話から取得して撮影又は再生の条件を設定するようにしても本発明の目的を達成することが可能となる。
【０１１１】
【発明の効果】
以上説明したように本発明に係る通信機器によれば、画像の再生機能を制限する再生条件を他の通信機器から無線で受信することが可能な通信手段と、前記受信した再生条件に基づいて画像の再生を行う再生手段とを備えたので、通信機器を使用している利用者を容易に特定することによって利用できる機能を制限することが可能となる。
【０１１２】
また、他の発明の形態によれば、通信機器の第１の利用者を特定する第１の識別情報を予め記録する記録手段と、画像の再生に関する再生機能を制限する再生条件と関連付けられている識別情報であるとともに通信機器の第２の利用者を特定する第２の識別情報を他の通信機器から無線で受信することが可能な通信手段と、前記第１の利用者を特定する第１の識別情報と前記第２の利用者を特定する第２の識別情報とを照合する照合手段と、前記照合の結果に基づいて画像の再生を行う再生手段とを備えたので、通信機器を使用している利用者を容易に特定することによって利用できる機能を制限することが可能となる。
【０１１３】
また、他の発明の形態によれば、画像と、その画像の再生機能を制限する第１の再生条件とを関連付けて記録する記録手段と、画像の再生機能を制限する第２の再生条件を他の通信機器から受信する受信手段と、前記第１の再生条件と前記第２の再生条件とを照合する照合手段と、前記照合の結果に基づいて画像の再生を行う再生手段とを備えたので、通信機器を使用している利用者を容易に特定することによって利用できる機能を制限することが可能となる。
【０１１４】
また、電子カメラに利用者を自動で認識する機能を設けたので、利用者に対して特別に認証作業を強いることなく利用者の認証のための負荷を軽減し、電子カメラの利用者を特定したり、撮影や再生を制限することが可能となる。また、認証用のデータを画像と関連付けて記録、又は認証データを画像内部に埋め込むことにより、画像データの閲覧可能な対象者を制限することが可能となる。
【図面の簡単な説明】
【図１】本発明に係る電子カメラと通信機器とから構成された通信システムを示す図
【図２】電子カメラの信号処理系のブロック図
【図３】携帯電話の信号処理部のブロック図
【図４】サーバの信号処理部のブロック図
【図５】電子カメラ又は携帯電話が発行する電子カメラの利用者固有の識別情報を示す図表
【図６】サーバの記録手段が記録している「認証基本コード」を示す図表
【図７】サーバの記録手段が記録している各々の電子カメラの使用可否の情報を示す図表
【図８】電子カメラと携帯電話とが実施するペアリング処理のフローチャート
【図９】電子カメラと携帯電話とが通信を開始して利用者の認証処理を実施する際のフローチャート
【図１０】電子カメラが実施する撮影処理のフローチャート
【図１１】電子カメラが実施する再生処理のフローチャート
【符号の説明】
１０…電子カメラ、４０…携帯電話、９０…サーバ、１１０…撮像手段、１１６…情報処理手段、１１８…入力手段、１２０…画像処理手段、１２１…フレームメモリ、１２３…メモリ、１２４…圧縮解凍手段、１２６…記録媒体、１２７…記録媒体インターフェース、１２８…アンテナ、１２９…通信手段、１３２…表示手段、１３３…Ｄ／Ａ変換器、１３４…キャラクタジェネレータ、１４１…通信手段、１４２…アンテナ、１４３…送受信手段、１４４…送受信バッファ、１４５…通信手段、１４６…アンテナ、１４７…送受信手段、１５０…表示手段、１５２…入力手段、１６０…情報処理手段、１６１…ＰＲＯＭ、１６２…ＲＡＭ、１６６…スピーカ、１６７…Ｄ／Ａ変換器、１６８…マイク、１６９…Ａ／Ｄ変換器、１９２…表示手段、１９３…表示コントローラ、１９４…入力手段、１９６…通信回線網、１９７…通信手段、１９８…アンテナ、１９９…通信手段、２００…情報処理手段、２０４…メモリ、２０６…フレームメモリ、２０８…記録手段、２１０…バスライン
【図１】
0004300504.tif 000002
【図２】
0004300504.tif 000003
【図３】
0004300504.tif 000004
【図４】
0004300504.tif 000005
【図５】
0004300504.tif 000006
【図６】
0004300504.tif 000007
【図７】
0004300504.tif 000008
【図８】
0004300504.tif 000009
【図９】
0004300504.tif 000010
【図１０】
0004300504.tif 000011
【図１１】
0004300504.tif 000012